(57)【要約】【課題】  十分なプライバシーの保護が可能になるとともに、小型・コンパクトで安価であり、さらに意匠性にも優れた横型ブラインド１を提供する。【解決手段】  凸面部１３と凹面部１５を有する断面が略Ｃ型構造のスラット４を用いる。このスラット４の中央部分には、昇降コード６が貫通するための一対の孔部１１が設けられている。一方、スラット４の幅方向外側には一対の折曲部２７ａ，ｂが設けられている。この折曲部２７ａ，ｂは、凹面方向へ４０度〜５０度の範囲の折曲角度（θ）２９で折曲げられており、直径が１ｍｍ〜４ｍｍの円形の透孔２１が穿孔されている。この透孔２１は、ラダーコード３に設置された状態において、一定の傾斜角度の範囲内で模様が視認できるような穿孔パターンでパンチング加工によって折曲部２７ａ，ｂに穿孔されている。【選択図】  図５
2016047990.tif 000002
【特許請求の範囲】
【請求項１】
横型ブラインドに用いられるスラットであって、
前記スラットは、
凹面部と凸面部を有する断面が略Ｃ型構造をしたものであり、
中央部分には、昇降コードが貫通するための一対の孔部が設けられており、
幅方向外側の一方又は両方の端部付近には、透孔が穿孔されており、
該透孔は、複数個のスラットがラダーコードに設置された状態において、一定の傾斜角度の範囲内で模様が視認できる透孔パターンで穿孔されている
ことを特徴とするスラット。
【請求項２】
横型ブラインドに用いられるスラットであって、
前記スラットは、
凹面部と凸面部を有する断面が略Ｃ型構造のものであり、
中央部分には、昇降コードが貫通するための一対の孔部が設けられており、
幅方向外側には、前記凹面部の方向に向けて一対の折曲部が設けられており、
該折曲部には、透孔が穿孔されており、
該透孔は、複数個のスラットがラダーコードに設置された状態において、一定の傾斜角度の範囲内で模様が視認できる透孔パターンで穿孔されている
ことを特徴とするスラット。
【請求項３】
前記折曲部は、
前記凹面方向への折曲角度（θ）として４０度〜５０度である
ことを特徴とする請求項２に記載のスラット。
【請求項４】
前記透孔は、
パンチング加工によって円形に穿孔されており、
前記円形の直径は、１ｍｍから４ｍｍである
ことを特徴とする請求項１乃至請求項３のいずれか一項に記載のスラット。
【請求項５】
請求項１乃至請求項４のいずれか一項に記載されたスラットを用いることを特徴とする横型ブラインド。
【発明の詳細な説明】
【技術分野】
【０００１】
本発明は、横型ブラインドに使用するためのスラット及びそれを用いた横型ブラインドに関するものである。
【背景技術】
【０００２】
一般的な横型ブラインド１は、ヘッドボックス２から鉛直下方向に前後のラダーコード３を介して、多数段のスラット４が梯子状に吊下げられており、ラダーコード３下端にはボトムレール５が設置されている（図８）。
【０００３】
多数段のスラット４を昇降するための左右一対の昇降コード６は、各スラット４の孔部１１を貫通して、その一端がボトムレール５に接続されている。この昇降コード６の他端は、ヘッドボックス２内へ導かれ、ストッパ７を経て垂下されてコードイコライザ８に接続されている。
【０００４】
コードイコライザ８の下方には、操作コード９の一方の端が接続され、操作コード９の他方の端はボトムレール５に接続されている。通常のストッパ７は、図示されていない固定ローラと可動ローラとで昇降コード６を挟み付けて固定したり、固定を解除したりしている。
【０００５】
したがって、操作コード９を手で持って昇降コード６をヘッドボックス２から引き出せば、ボトムレール５が引き上げられて、下段のスラット４から順次引き上げられる。一方、ボトムレール５やスラット４の重量を利用して、昇降コード６をヘッドボックス２内に引き込ませればボトムレール５が下降し、上段のスラット４から順にラダーコード３に支持された状態で下降していく（図８）。
【０００６】
ヘッドボックス２には、昇降コード６に隣接して操作棒１０が設置されており、左右に回転させることによって、図示されていないヘッドボックス２内の角度調節軸及び前後のラダーコード３を介して梯子状をした各スラット４の傾斜角度（向き）を同時に変えることができる。
【０００７】
一般的なスラット４は、アルミニウム合金製又は樹脂製であり、その形状を維持したり強度を向上させたりする等の目的から、凸面と凹面とを有する断面がＣ字型の構造（以下において、単に略Ｃ型構造と呼ぶ。）をした１００〜２００μｍ程度の薄板が使用されている。
【０００８】
このような横型ブラインドに使用するスラット４として、パンチング加工により全面に多数の微小孔が形成されている発明が開示されている（特許文献１）。このスラット４を使用した横型ブラインド１を用いると、スラット４の傾斜角度を略垂直方向に傾動させて全閉状態とした場合でも、微小孔から屋外の柔らかな光を取り入れることができるので意匠性においても優れたものである。
【０００９】
また、特許文献２には、パンチング加工により穿孔パターンの異なる２種類のスラットを作製し、それを交互に積層することによってスラット４を垂直方向に傾動して全閉状態とした場合においては、微小孔からの光を完全に遮蔽することが可能な発明が開示されている。
【先行技術文献】
【特許文献】
【００１０】
【特許文献１】特開２００８−２７４６５２号公報
【特許文献２】特開２００８−５０８４３号公報
【発明の概要】
【発明が解決しようとする課題】
【００１１】
しかしながら、上述した特許文献１に記載の発明は、夜間等において屋外が暗くなっており、蛍光灯などの使用によって屋内が明るくされているような場合には、屋外から屋内の様子が透けて見えてしまうので十分なプライバシーの保護が図れないという問題点がある。
【００１２】
加えて、スラット４の孔部１１の部分に微小孔の一部分がかかるような場合もある。そのような場合には、昇降コード６がその微小孔の一部分に引掛かったり、最悪の場合には昇降コード６が擦り切れて切断されたりするなどの問題点があった。
【００１３】
一方、特許文献２に記載の発明では、微小孔からの光を完全に遮蔽するためには、スラット４を垂直方向に傾動して全閉状態とした場合において、少なくとも上下３枚のスラット４が重なる部分（重なり代）が必要となる。
【００１４】
したがって、使用するスラット４の幅を従来に比べて幅広にしたり、必要とされるスラット４の枚数を増やしたりする必要があり、その結果、横型ブラインドが大型化するとともにコスト高になるという問題点があった。
【００１５】
本発明は、上記した問題点の解決を目的としており、十分なプライバシーの保護が可能になるとともに、小型・コンパクトで安価であり、さらに意匠性にも優れた横型ブラインドの提供を目的としている。
【課題を解決するための手段】
【００１６】
上述した課題を解決するために請求項１に記載した発明は、横型ブラインドに用いられるスラットであって、前記スラットは、凹面部と凸面部を有する断面が略Ｃ型構造をしたものであり、中央部分には、昇降コードが貫通するための一対の孔部が設けられており、幅方向外側の一方又は両方の端部付近には、透孔を有しており、該透孔は、ラダーコードに設置された状態において、一定の傾斜角度の範囲内で模様が視認できるような透孔パターンで穿孔されていることを特徴としている。
【００１７】
請求項１に記載された発明を用いると、それぞれの透孔は幅方向の端部に設けられているので、幅広のスラットを使用する必要もなく、従来から使用されている略Ｃ型構造のスラットをそのまま使用できる。したがって、従来品と同様の効果を有するとともに、安価に製造することができる。加えて、スラットの傾斜角度によっては屋内外から模様を視認することができるので意匠性にも優れたものである。
【００１８】
請求項２に記載した発明は、横型ブラインドに用いられるスラットであって、前記スラットは、凹面部と凸面部を有する断面が略Ｃ型構造のものであり、中央部分には、昇降コードが貫通するための一対の孔部が設けられており、幅方向外側には、前記凹面部の方向に向けて一対の折曲部が設けられており、該折曲部には、透孔を有しており、該透孔は、ラダーコードに設置された状態において、一定の傾斜角度の範囲内で模様が視認できるような透孔パターンで穿孔されていることを特徴としている。
【００１９】
請求項２に記載された発明を用いると、上述した請求項１の効果に加えて、スラットの傾斜角度に応じて屋内外から２種類の模様をより明確に視認することができるという新たな特徴を有するものである。
【００２０】
請求項３に記載の発明は、請求項２に記載した発明において、前記折曲部は、前記凹面方向への折曲角度（θ）として４０度〜５０度であることを特徴としている。
【００２１】
請求項３に記載された発明を用いると、それぞれの折曲部に異なる透孔パターンの透孔を設けておき、スラットの傾斜角度を変えることによって二種類の模様をより明瞭に視認することができる。
【００２２】
請求項４に記載した発明は、請求項１乃至請求項３のいずれか一項に記載した発明において、前記透孔は、パンチング加工によって円形に穿孔されており、前記円形の直径は、１ｍｍから４ｍｍであることを特徴としている。
【００２３】
請求項４に記載された発明を用いると、パンチング加工性や量産性などの点から好ましいスラットを提供できる。
【００２４】
請求項５に記載の発明は、請求項１乃至請求項４のいずれか一項に記載したスラットを用いて横型ブラインドを製造することを特徴としている。
【００２５】
請求項５に記載された発明を用いると、従来品と同程度のプライバシーの保護が可能であり、小型・コンパクトで安価であり、意匠性にも優れた横型ブラインドを提供することができる。
【発明の効果】
【００２６】
本発明に係わるスラットを用いると、十分なプライバシーの保護が可能になるとともに、小型・コンパクトで安価であり、意匠性にも優れた横型ブラインドを提供することができる。
【図面の簡単な説明】
【００２７】
【図１】幅方向の端部に透孔を有する略Ｃ型構造のスラットの概略図である。
【００２８】
（ａ）スラット４の平面図である。
【００２９】
（ｂ）孔部１１付近の拡大斜視図である。
【図２】幅方向の両方の端部付近に透孔を有するスラットの断面図である。
【００３０】
（ａ）図１のＡ−Ａ部分のスラット４の断面図である。
【００３１】
（ｂ）折曲部２７を有するスラット４の断面図である。
【図３】横方向からの概観図である（スラットの傾斜角度との関係）。
【００３２】
（ａ）スラット４が全閉の状態である。
【００３３】
（ｂ）スラット４の透孔２１が視認できる状態である。
【００３４】
（ｃ）スラット４が全開の状態である。
【００３５】
（ｄ）スラット４の透孔２１が視認できる状態である。
【００３６】
（ｅ）スラット４が全閉の状態である。
【図４】横型ブラインドの使用状態である。
【００３７】
（ａ）猫の模様の透孔パターン２３と犬の模様の透孔パターン２５である。
【００３８】
（ｂ）目視による観察状態である。
【００３９】
（ｃ）犬の模様の左耳部付近の拡大図である。
【図５】折曲部を有するスラットの横方向からの概観図である（スラットの傾斜角度との関係）。
【００４０】
（ａ）スラット４が全閉の状態である。
【００４１】
（ｂ）一方の折曲部２７ａの透孔２１ｂが視認できる状態である。
【００４２】
（ｃ）スラット４が全開の状態である。
【００４３】
（ｄ）他方の折曲部２７ａの透孔２１ａが視認できる状態である。
【００４４】
（ｅ）スラット４が全閉の状態である。
【図６】スラットの折曲部２７ａ，ｂに形成した透孔パターンである。
【００４５】
（ａ）折曲部２７ｂの犬の透孔パターン２５である。
【００４６】
（ｂ）折曲部２７ａの猫の透孔パターン２３である。
【図７】折曲部２７ａ，ｂを有するスラットの使用状態である。
【００４７】
（ａ）犬の模様が見える状態（図５（ｂ））。
【００４８】
（ｂ）猫の模様が見える状態（図５（ｄ））。
【図８】横型ブラインドの斜視図である。
【発明を実施するための形態】
【００４９】
以下において、本発明に関わるスラット４及び横型ブラインド１の構造及び使用方法について詳細に説明する（図１〜図８）。
＜スラットの概要＞
（１）スラット４の構造（図１、図２）
本発明に関わる横型ブラインド１に用いられているスラット４について説明する。本実施例で使用するスラット４は、その材質として、例えば、アルミニウム合金製であり、その形状を維持したり強度を向上させたりすることができる凸面部１３と凹面部１５を有する断面が略Ｃ型構造をしている（図２）。この凹面部１３の曲率半径（ｒ）としては、１ｍ〜３ｍのものが一般的に使用されている。
【００５０】
このスラット４は、略長方形状をした細長く長尺のものであり、厚みが約１５０μｍの薄板を使用している。以下において、細長いスラット４の長尺方向を長さ方向と呼び、この長さ方向に垂直な方向（短い方向）を幅方向と呼ぶ（図１（ａ））。
【００５１】
このスラット４の中央部分には、昇降コード６が貫通するための左右一対の長穴状をした孔部１１が設けられている（図１、図８）。すなわち、ヘッドボックス２からの昇降コード６は、多数枚のスラット４の孔部１１を貫通した後にボトムレール５に接続される（図１、図８）。
（２）透孔２１
本発明に関わるスラット４は、後述するように材料コストの面等から幅方向外側の一方の端部付近又は両方の端部付近に透孔２１を有することを特徴としている（図１、図２）。例えば、直径が２ｍｍ〜３ｍｍ程度の円形をした透孔２１の場合には、スラット４の幅方向の端部から２ｍｍ〜３ｍｍ程度内側に設けるのが好ましいことがわかった。なお、図１では、幅方向の上下両方の端部付近に複数個の透孔２１を有するスラット４の一例が図示されている。
【００５２】
また、透孔２１の形成方法としては、加工性や量産性などの面からパンチング加工が好ましい。加えて、透孔２１の形状としては、円形、楕円形、多角形などのものが可能であるが、直径が１ｍｍ程度の小径の透孔を形成する場合には円形のものがパンチング加工しやすい。
【００５３】
なお、透孔２１の直径が１ｍｍ以下だと視認されにくいという問題点があることや、直径が４ｍｍを超えると強度劣化の面から問題点があることがわかった。そこで、透孔２１の直径としては１ｍｍ〜４ｍｍが好ましく、パンチング加工性などから２ｍｍ〜３ｍｍがさらに好ましいことがわかった。
【００５４】
本発明では、後述するように、スラット４にパンチング加工をする透孔２１の数や位置などの穿孔されるパターン（以下において、単に透孔パターンと呼ぶ。）を使用目的に応じて変更することによって、ラダーコード３に設置された状態において意匠性に優れた模様を視認できるようにした。
【００５５】
加えて、さらなる改良として、スラット４の外側部分に長さ方向に連続して凹面部１５の方向に向けて折曲げることによって、一対の折曲部２７を設けるようにした（図２（ｂ））。
【００５６】
そして、それぞれの折曲部２７には、後述するように異なる透孔パターンの透孔２１を設けておき、スラット４の傾斜角度を変えることによって二種類の模様をより明瞭に視認できるようにした（図２（ｂ））。加えて、この折曲部２７の凹面方向への折曲角度（θ）２９としては、視認性の点から４０度〜５０度、例えば、４５度付近が好ましいことがわかった（図２（ｂ））。
＜実施の形態１＞
本発明の実施の形態１について説明する（図３、図４）。本実施の形態１では、略Ｃ型構造をしており、折曲部２７を有さないスラット４を用いた（図２（ａ））。そして、幅方向の一方の端部付近にのみ透孔２１を有するとともに透孔パターンの異なるスラット４と、全く透孔２１を有しないスラット４とを組み合わせて横型ブラインド１を製造した（図３、図４）。これらの透孔２１は、スラット４がラダーコードに設置された状態において、一定の傾斜角度の範囲内で模様が視認できるような透孔パターンで穿孔されている。
【００５７】
以下において、操作棒１０を少しずつ回していくことによってラダーコード３を動かして、スラット４の傾斜角度を変えながら屋内から横型ブラインド１を通して屋外を目視した場合についての実施例について説明する。
（１）横型ブラインド１の概要
本発明に係わるスラット４について、横方向からの概観図を用いて説明する（図３）。すなわち、実施形態１では、幅方向の一方の端部付近（上部の端部付近（図３（ａ）））にのみ透孔２１が設置されているスラット４を用いている。
【００５８】
図３（ａ）に示されるように、スラット４が全閉の状態では、下段のスラット４の上部に穿孔されている透孔２１は、そのすぐ上段のスラット４の下部に完全に覆われている。すなわち、それぞれのスラット４の透孔２１は、他のスラット４の重なり代によって完全に覆われている。
【００５９】
したがって、屋内から屋外の景色を見ることもできないし、屋外から屋内の様子を見ることもできない。すなわち、この状態では通常の一般的な横型ブラインド１と変わることはなく、十分なプライバシーの保護が確保できる。
【００６０】
加えて、透孔２１は、スラット４の幅方向の一方の端部の重なり代に設けられているので（図３（ａ）において上端部）、幅広のスラット４を使用する必要もなく、スラット４の枚数を増やす必要もないので安価に製造することができる。
【００６１】
操作棒１０を回すことによってラダーコード３が動き、スラット４が傾動し、その上部の透孔２１は、そのすぐ上段のスラット４の下端部から少しずつ遊離してくる（図３（ｂ））。したがって、屋外の光は、透孔２１を経由することによって柔らかな光となって屋内に取り入れることができる。この状態では、それぞれのスラット４の透孔パターンによって後述するような模様を視認することができる（図４）。
【００６２】
すなわち、この模様は、それぞれのスラット４ごとに形成され、そのまま視認されるのではなく、複数個のスラット４がラダーコードに設置されており、一定の傾斜角度の範囲内で模様が視認できるような透孔パターンで透孔２１が穿孔されているものである。
【００６３】
さらに操作棒１０を回すと、スラット４は全開の状態になり屋外を見たり、屋外の光を十分に取り入れたりすることができる（図３（ｃ））。このスラット４の傾斜角度が略水平（全開）の状態では、通常の一般的な横型ブラインド１の使用状態と変わるところがない。
【００６４】
さらに操作棒１０を回すと、上述した図４（ｂ）と同様に屋外の光を透孔２１を経由して柔らかな状態で屋内に取り入れたり、後述するような模様を視認したりすることができる（図３（ｄ））。なお、スラット４の透孔２１の位置は、図３（ｂ）とは上下が逆転している。
【００６５】
さらに操作棒１０を回した図３（ｅ）の状態では、上述した図３（ａ）と同様にスラット４が全閉の状態になる（図３（ｅ））。したがって、屋内から屋外を見ることも、屋外から屋内を見ることもできなくなる。
（２）横型ブラインドの使用状態
本発明に係わる略Ｃ型構造のスラット４を用いた横型ブラインド１の使用状態の特徴的な部分について説明する（図４）。すなわち、透孔パターンが形成されているスラット４と、透孔２１を有しないスラット４とを組み合わせることによってラダーコードに設置された状態において、一定の傾斜角度の範囲内で模様を視認できる横型ブラインド１を作製した。
【００６６】
図４（ａ）は、猫の模様の透孔パターン２３と犬の模様の透孔パターン２５とを組み合わせた透孔パターンの設計図面である。それぞれの透孔２１は、パンチング加工による円形状のものであり、猫の模様の透孔パターン２３の透孔２１の直径を約３ｍｍ、犬の模様の透孔パターン２５の透孔２１の直径を約１ｍｍとした。
【００６７】
すなわち、図４（ａ）に示されるような透孔パターンになるように、それぞれのスラット４の上方の端部付近にパンチング加工によって透孔２１を形成した。なお、図４（ａ）では、理解を容易にするために透孔２１の位置を細長いスラット４の中央付近にやや大きく配置している。
【００６８】
これらのスラット４を用いて製造された横型ブラインド１において、上述した図３（ｂ）の状態を目視によって全体観察した状態を図４（ｂ）に、図４（ｂ）のなかで犬の模様３３の左耳部付近を拡大した状態を図４（ｃ）にそれぞれ示す。
【００６９】
スラット４の適切な傾斜角度では（図３（ｂ）の状態）、猫の模様３１と犬の模様３３が横型ブラインド１に浮かび上がっており、意匠性に優れた横型ブラインド１を提供することができた。なお、上述した図３（ｄ）の状態でも透孔２１の位置は、多少上下するものの、ほぼ同様の猫と犬の模様を観察することができた。
【００７０】
加えて、これらの猫の模様３１と犬の模様３３は屋外からも視認することができる。さらに加えて、猫や犬などの模様に替えて、企業のロゴマークやキャッチフレーズ等を表示することもできるので、本発明は企業の宣伝媒体としても利用をすることができる。
【００７１】
上述した実施の態様１では、スラット４の幅方向外側の一方の端部付近にのみ透孔２１を有している場合について説明をしたが、幅方向外側の両方の端部付近に透孔を有していても同様の効果があることは言うまでもない。この場合には、後述する実施の形態２に比べてやや見えにくいものの、２種類の模様を視認できるような透孔パターンで透孔２１を穿孔することもできる。
【００７２】
加えて、スラット４の材質としては、アルミニウム合金に替えて半透明又は不透明に着色されているポリカーボネイト等の樹脂製品を用いることもできる。
【００７３】
本発明に係わる横型ブラインドを用いると、それぞれのスラット４の透孔２１を他のスラット４の重なり代によって完全に覆うようにすることができる。すなわち、スラット４を全閉にすることができるので、従来品と同様に十分なプライバシーの保護ができる（図３（ａ）、（ｅ））。
【００７４】
また、それぞれの透孔２１は、スラット４の幅方向の端部（重なり代の部分）に設けられているので、幅広のものを使用する必要もなく、従来から使用されている略Ｃ型構造のスラット４をそのまま使用できるので安価で製造することができる。加えて、スラット４の傾斜角度によっては屋内外から透孔パターンに応じた模様を視認することができるので意匠性にも優れたものである。
＜実施の形態２＞
本発明の実施の形態２について説明する（図５〜図７）。なお、実施の形態２において、上述した実施の形態１と重複する部分は一部省略して記載している。
【００７５】
本実施の形態２では、スラット４の幅方向外側部分に一対の折曲部２７ａ，ｂを設けている（図２（ｂ））。この折曲部２７ａ，ｂの凹面方向への折曲角度（θ）２９として約４５度の略Ｃ型構造のスラット４を用いた（図２（ｂ））。
【００７６】
そして、それぞれの折曲部２７ａ，ｂに、透孔パターンの異なる透孔２１ａ，ｂを有するスラット４と、折曲部２７ａ，ｂに全く透孔２１ａ，ｂを有しないスラット４とを組み合わせて横型ブラインド１を製造した（図５〜図７）。これらの透孔２１ａ，ｂは、スラット４がラダーコードに設置された状態において、一定の傾斜角度の範囲内で模様が視認できるパターンで穿孔されている。
【００７７】
本実施の形態２を用いると、スラット４の傾斜角度によって２種類の模様を明瞭な状態で視認可能にすることができる。以下において、操作棒１０を少しずつ回していくことによってラダーコード３を動かして、スラット４の傾斜角度を変えながら屋内から横型ブラインド１を通して屋外を目視した場合についての実施例を示す。
（１）横型ブラインド１の概要
本発明に係わるスラット４について、横方向からの概観図を用いて説明する（図５）。すなわち、本実施の形態２では、折曲部２７ａ，ｂを有する略Ｃ型構造のスラット４を用いた（図２（ｂ））。
【００７８】
図５（ａ）に示されるように、スラット４が全閉の状態では、スラット４の折曲部２７ａ，ｂに穿孔されているそれぞれの透孔２１ａ，ｂは、上下段のスラット４の重なり代によって完全に覆われている。ここで、あらかじめ上下段のスラット４の折曲部２７ａ，ｂに穿孔されている透孔２１ａ，ｂの位置は重ならないように設計され、パンチング加工がされている。
【００７９】
したがって、この状態では屋内から屋外の景色を見ることもできないし、屋外から屋内の様子を伺うこともできない。すなわち、この状態では通常の一般的な横型ブラインド１と変わることもなく、十分なプライバシーの保護が確保できる。
【００８０】
加えて、上下段のスラット４の折曲部２７ａ，ｂに穿孔されている透孔２１ａ，ｂの位置は重ならないようにパンチング加工がされているので、幅広のスラット４を使用する必要もなく、スラット４の枚数を増やす必要もないので安価に製造することができる。
【００８１】
操作棒１０を回すことによってラダーコード３が動き、スラット４の傾斜角度が緩やかになる（図５（ｂ））。したがって、屋外の光は、透孔２１ｂを経由することによって柔らかな光となって屋内に取り入れることができる。この状態では、スラット４の折曲部２７ｂの透孔パターンによって、後述する犬の模様を視認することができる（図７（ａ））。
【００８２】
すなわち、この模様は、それぞれのスラット４ごとに形成され、そのまま視認されるのではなく、複数個のスラット４がラダーコードに設置されている状態において、一定の傾斜角度の範囲内で模様が視認できるような透孔パターンで一対の折曲部に透孔２１が穿孔されているものである。
【００８３】
さらに操作棒１０を回すと、スラット４は全開の状態になり屋外を見たり、屋外の光を十分に取り入れたりすることができる（図５（ｃ））。このスラット４の傾斜角度がほぼ水平の状態、すなわち全開の状態では、一般的な横型ブラインド１の使用状態とほとんど変わるところがない。
【００８４】
さらに操作棒１０を回すと、スラット４の傾斜角度が急になり、屋外の光を透孔２１ａを経由して柔らかな状態で屋内に取り入れたり、後述するような模様を視認したりすることができる（図５（ｄ））。なお、この場合には、（図５（ｂ））とは異なる折曲部２７ａに穿孔されている透孔２１ａから光が入射されるので、後述するような猫の模様を視認することができる（図７（ｂ））。
【００８５】
さらに操作棒１０を回してスラット４を立てた状態では（図５（ｅ））、上述した図５（ａ）と同様にスラット４が全閉の状態になる。したがって、屋内から屋外を見ることも、屋外から屋内を見ることもできなくなる。
（２）透孔パターン
実施の形態２に使用した透孔パターンを示す（図６）。この透孔パターンは、犬の透孔パターン２５を透孔２１ｂとして折曲部２７ｂに、猫の透孔パターン２３を透孔２１ａとして折曲部２７ａにそれぞれ穿孔した（図２（ｂ））。
【００８６】
それぞれの透孔２１ａ，ｂは、パンチング加工による円形状のものであり、猫の模様の透孔パターン２３の透孔２１ｂの直径を約３ｍｍ、犬の模様の透孔パターン２５の透孔２１ａの直径を約３ｍｍとした。なお、図６（ａ）、（ｂ）では、理解を容易にするために透孔２１の位置を、どちらも細長いスラット４の幅方向の中央付近にやや大きく表示している。
（３）横型ブラインドの使用状態
本発明に係わる折曲部２７ａ，ｂを有する略Ｃ型構造のスラット４を用いた横型ブラインド１の使用状態の特徴部分について説明する（図７）。すなわち、透孔２１ａ，ｂを有する透孔パターンが形成されているスラット４と、透孔２１ａ，ｂを有しないスラット４とを組み合わせることによって、スラット４の傾斜角度に応じて犬又は猫の２種類の模様を視認できる横型ブラインド１を作製した。
【００８７】
これらのスラット４を用いて製造された横型ブラインド１において、上述した図５（ｂ）の状態を目視によって全体観察した状態を図７（ａ）に、図５（ｄ）の状態を目視によって全体観察した状態を図７（ｂ）にそれぞれ示す。
【００８８】
操作棒１０を適切に回転させてスラット４の傾斜角度を調整する。そうすると、一定の傾斜角度の範囲内で犬の模様３３（図５（ｂ）の状態）又は猫の模様３１（図５（ｄ）の状態）が横型ブラインド１に明瞭に浮かび上がり、意匠性に優れた横型ブラインド１を提供することができる。
【００８９】
すなわち、折曲部２７ａ，ｂを有しており、その折曲部２７ａ，ｂに透孔２１ａ，ｂを有する略Ｃ型構造のスラット４を用いることによって、屋外からの光はほぼ垂直状態に傾動した折曲部２７ａ，ｂ（すなわち、透孔２１ａ，ｂ）を通過するようにできるので、２種類の模様をより明瞭に視認することができる。
【００９０】
加えて、夜間においてはこれらの猫の模様３１や犬の模様３３は屋外からも視認することができる。さらに加えて、猫や犬などの模様に替えて、企業のロゴマークやキャッチフレーズ等も屋外から見えるように表示することができるので、本発明は企業の宣伝媒体としても利用をすることができる。
【００９１】
本発明に係わる実施の形態２に係わる横型ブラインドを用いると、上述した実施の形態１に加えてスラット４の一定の傾斜角度の範囲内で屋内外から２種類の模様を明瞭に視認することができるという新たな特徴を有するものである。
【産業上の利用可能性】
【００９２】
本発明は、横型ブラインドのスラットに利用することができる。
【符号の説明】
【００９３】
１  横型ブラインド
２  ヘッドボックス
３  ラダーコード
４  スラッド（羽根）
５  ボトムレール
６  昇降コード
７  ストッパ
８  コードイコライザ
９  操作コード
１０  操作棒
１１  孔部
１３  凸面部
１５  凹面部
２１  透孔
２１ａ  透孔
２１ｂ  透孔
２３  猫の透孔パターン
２５  犬の透孔パターン
２７ａ，ｂ  折曲部
２９  折曲角度（θ）
３１  猫の模様
３３  犬の模様
【図１】
2016047990.tif 000003
【図２】
2016047990.tif 000004
【図３】
2016047990.tif 000005
【図５】
2016047990.tif 000006
【図８】
2016047990.tif 000007
【図４】
2016047990.tif 000008
【図６】
2016047990.tif 000009
【図７】
2016047990.tif 000010